(57)【要約】【課題】矢板列の上端部に被せる笠置ブロックの底板と矢板列の側面との間の隙間が不揃いにもかかわらず、この隙間への隙間材の充填を現場作業で容易に行うことができるようにする。【解決手段】底板７の先端辺７ａを上側が後退する形状の斜面として、この底板の先端辺と矢板列の側面との間に形成される隙間１８をくさび状にし、この隙間内に断面形状をくさび状にした隙間材１９を挿入した。【選択図】図７
2008075408.tif 000002
【特許請求の範囲】
【請求項１】
矢板を列状に打ち込んでなる矢板列の上端部に、一方の側壁の内側に先端辺を矢板列の側面形状に沿う形状にした底板を設けた笠置ブロックを被せ、少なくともこの笠置ブロックの一方の側壁と底板と矢板列の側面との間の空間にコンクリートを打ち込んでなる矢板壁護岸において、
底板の先端辺を上側が後退する形状の斜面として、この底板の先端辺と矢板列の側面との間に形成される隙間をくさび状にし、この隙間内に断面形状をくさび状にした隙間材を挿入した
ことを特徴とする矢板壁護岸。
【請求項２】
上端部を引っかけ形状にした引っかけ部材と、この引っかけ部材に引っかけ部材と平行に固着したナット部材と、このナット部材に螺合したボルトからなり、引っかけ部材の内側の引っかけ頂部に棒状の当接部材を設け、また引っかけ部材の対向内側面に矢板列の両側面に当接する当接部材を上下方向に位置をずらせて設け、少なくとも引っかけ頂部に設けた当接部材を引っかけ部材と直角状にした高さ調整金具を、
この高さ調整金具の引っかけ部材の引っかけ頂部に設けた当接部材を矢板列の上端に当接させて引っかけ設置し、ボルトの上端を笠置ブロックに設けたステーの下面に当接させるようにした
ことを特徴とする請求項１記載の矢板壁護岸。
【発明の詳細な説明】
【技術分野】
【０００１】
本発明は、河川や海岸の岸壁に矢板を列状に打ち込み、この矢板列の上端部に笠置ブロックを被せた矢板壁護岸に関するものである。
【背景技術】
【０００２】
この種の矢板壁護岸では、打ち込み施工後の矢板（鋼矢板）の上端部が不安定で強度上の問題があり、かつ景観上にも問題があるため、矢板の打ち込み施工後、この矢板の上端部にコンクリート製の笠置ブロックを被せてコンクリートで固定する手段が執られている（例えば、特許文献１参照）。
【０００３】
そしてこの従来の矢板壁護岸における笠置ブロックは、断面形状が伏せコ字状で、かつ底部の一方の内側に先端が矢板の側面に対向する底板が設けたものが用いられ、矢板の上端部に被せてから、この笠置ブロックの上部に設けた開口部より、上記底板にて閉じられる空間内に生コンクリートを流し込んで固定するようにしている。そしてこのときに、上記底板の先端と矢板の側面との間に隙間があると、ここから生コンクリートが流出して無駄になるので、この部分にパッキンを貼着している。
【０００４】
【特許文献１】特許第２７０４６１０号公報
【発明の開示】
【発明が解決しようとする課題】
【０００５】
上記従来の矢板壁護岸における笠置ブロックは、これを矢板の上端部に被せる際に、矢板の厚さ方向の位置が、位置決め金具を用いるにしても正確に決めることができないため、底板の先端と矢板の側面との間の隙間が一定の間隔となることがなかった。特に打ち込み後の矢板列の側面はどうしても不揃いになっているので、各矢板ごとに上記隙間が異なっていた。
【０００６】
このため、上記底板と矢板の側面との間に貼着するパッキンの形状も、上記隙間の形状（間隔）に合わせて現場作業的に種々用意しなければならず、このパッキンの貼着作業が容易でなく、手数がかかる作業となっていた。
【０００７】
本発明は上記のことに鑑みなされたもので、笠置ブロックを矢板列の上端部に被せるときにおいて、底板と矢板列の側面との間の隙間を閉じる隙間材の充填を、上記隙間が不揃いにもかかわらず、現場作業で容易に行うことができるようにし、また矢板列に対する笠置ブロックの高さ調整を容易に行うことができるようにした矢板壁護岸を提供することを目的とするものである。
【課題を解決するための手段】
【０００８】
上記目的を達成するために、本発明に係る矢板壁護岸は、矢板を列状に打ち込んでなる矢板列の上端部に、一方の側壁の内側に先端辺を矢板列の側面形状に沿う形状にした底板を設けた笠置ブロックを被せ、少なくともこの笠置ブロックの一方の側壁と底板と矢板列の側面との間の空間にコンクリートを打ち込んでなる矢板壁護岸において、
底板の先端辺を上側が後退する形状の斜面として、この底板の先端辺と矢板列の側面との間に形成される隙間をくさび状にし、この隙間内に断面形状をくさび状にした隙間材を挿入した構成になっている。
【０００９】
そして上記構成の矢板壁護岸において、上端部を引っかけ形状にした引っかけ部材と、この引っかけ部材に引っかけ部材と平行に固着したナット部材と、このナット部材に螺合したボルトからなり、引っかけ部材の内側の引っかけ頂部に棒状の当接部材を設け、また引っかけ部材の対向内側面に矢板列の両側面に当接する当接部材を上下方向に位置をずらせて設け、少なくとも引っかけ頂部に設けた当接部材を引っかけ部材と直角状にした高さ調整金具を、この高さ調整金具の引っかけ部材の引っかけ頂部に設けた当接部材を矢板列の上端に当接させて引っかけ設置し、ボルトの上端を笠置ブロックに設けたステーの下面に当接させるようにした構成になっている。
【発明の効果】
【００１０】
本発明の請求項１記載の構成では、笠置ブロックの底板と矢板列との間の隙間をくさび状にすると共に、この隙間内に断面形状をくさび状にした隙間材を挿入するようにしたことにより、矢板壁護岸の施工状態によって上記隙間が一定の間隔とならない場合や、この隙間が施工ごとに変化して不揃いであっても、この隙間への隙間材の挿入により１種類の隙間材にてこの隙間を閉じることができ、この隙間への隙間材の充填を現場作業で容易に行うことができる。
【００１１】
また、上記隙間及び隙間材がくさび状であることにより、この両者は密に嵌合されて、上記隙間を生コンクリートが漏れることなく閉じることができる。
【００１２】
また、請求項２記載の構成では、矢板列に対して笠置ブロックの高さ方向の位置を調整する高さ調整金具の引っかけ部材の引っかけ頂部に固着した当接部材が、引っかけ部材に対して直角状になっていることにより、引っかけ部材を矢板列に引っかけたときに、この当接部材が矢板列の上面に沿うことにより、引っかけ部材が矢板列に対して垂直状に引っかけることができ、従って笠置ブロックを支持するボルトを垂直状にすることができ、このボルトによる笠置ブロックの高さ調整を容易に行うことができる。
【発明を実施するための最良の形態】
【００１３】
本発明の実施の形態を図面を参照して説明する。なお、この実施の形態ではハット形の鋼矢板を用いた例を示す。
【００１４】
図１は、ハット形の鋼矢板１を列状に打ち込んだ状態の矢板列を示す平面図であり、この鋼矢板１は同一面上に位置する両辺部１ａ，１ｂに対して、中間部１ｃがハット状になった形状になっていて、これの両辺部１ａ，１ｂの端縁に互いに係合する形状にした係合部２ａ，２ｂが設けられている。そしてこの各鋼矢板１が隣接するもの相互で、各辺部の係合部２ａ，２ｂを係合させた状態で列状に打ち込まれている。この矢板列は、山側と海（河川）側を区画する位置に打ち込まれており、この海側の側面が所定の高さにわたって露出されているものである。
【００１５】
図２から図５は、図１に示した矢板列の上端部に被せる笠置ブロック３を示すもので、この笠置ブロック３は鋼矢板１の厚さ方向の寸法（ハット部の高さ）より大きな間隔で対向する側壁４，５と、この両側壁４，５の上端部は、これの長手方向複数個所でステー６，６，…にて連結されている。そして一方の側壁４の内側下端部で、長手方向複数個所に先端部を山形にした底板７が突設されている。
【００１６】
上記底板７の相互の間隔は、図１に示した矢板列の海側の凹部の相互の間隔と同一になっており、またこの底板７の突出形状は、上記矢板列の上記海側の凹部の形状と略同一になっている。
【００１７】
上記各底板７の端辺７ａは、上側が後退する斜面状になっており、また各底板７が突設される側壁４の内面下端部の側面４ａは、上記底板７の斜面と平行の斜面状になっていて、結局、この側壁４の下端部の内側面には、長手方向にジグザグ状に連続する斜面が形成されている。
【００１８】
笠置ブロック３の底板７を設けた方の側壁４の各底板７の間と、他方の側壁５の上記各底板７の先端部に対向する位置のそれぞれの高さ方向中間部の内側面に位置決め金具用ナット８がインサートしてある。また、両側壁４，５のそれぞれの長手方向両端部の高さ方向中間部の内面に連結金具用ナット９がインサートしてある。
【００１９】
次に上記したように、ハット形の鋼矢板１を用いた矢板列の上端部に笠置ブロック３を被せた構成の護岸工法を説明する。
【００２０】
図１に示されるようにハット形の鋼矢板１は同一姿勢にして、かつ隣接するもの同士の係合部２ａ，２ｂを互いに係合させて順次列状となるように打ち込んでいく。そしてこの状態の矢板列は、上記したように海（河川）側と山側とを区画する位置に構築するもので、これの海側の上部の側面は、海側へ露出されている。また山側の上部は、地面（地山）より所定の高さに突出している。
【００２１】
この状態の矢板列の上端部に、図６、図７で示すように、笠置ブロック３をこれの底板７が海側の凹部内に入るようにして被せる。
【００２２】
このとき上記笠置ブロック３を矢板列に被せる前に、矢板列の上端で、かつ笠置ブロック３のステー６の下面に対向する複数の位置、例えば図６において符号ａで示すように、１個の笠置ブロック３に対して４個所に高さ調整金具１０を設置しておく。また、同様に笠置ブロック３を被せる前に、これの位置決め金具ナット８に位置決め金具１１を設置する。
【００２３】
高さ調整金具１０は、図７の拡大断面図、及び図８の拡大斜視図に示すようになっていて、鋼矢板１の上端に引っかけるようフック状に形成された引っかけ部材１２と、この引っかけ部材１２の長い方の本体部の背面に引っかけ部材１２と平行に固着したナット部材１２ａと、これに螺合した調整ボルト１３とからなっている。そして、引っかけ部材１２の内側の引っかけ頂部には、鋼矢板１の上端に当接する頂部当接部材１４が、また本体とフック部のそれぞれの対向内側に鋼矢板１の両側面に当接する側面当接部材１５ａ，１５ｂが、上下方向に位置をずらせてそれぞれ固着されていて、この両側面当接部材１５ａ，１５ｂの対向間に鋼矢板１が位置されるようになっている。
【００２４】
上記各当接部材１４，１５ａ，１５ｂは所定長さ、例えば４０ｍｍ長さの丸棒が用いられていて、これらは引っかけ部材１２に対して直角（水平）状態に溶接にて固着されている。そして上記頂部当接部材１４が、特に引っかけ部材１２に対して直角になっていることにより、引っかけ部材１２を鋼矢板１の上端に引っかけたときに、この頂部当接部材１４が鋼矢板１の頂面に当接されて、引っかけ部材１２は鋼矢板１の頂面と直角になる。従って、高さ調整金具１０を設置する部分の鋼矢板１の頂面を水平にすることにより、高さ調整金具１０の引っかけ部材１２が垂直状になるように設置される。
【００２５】
位置決め金具１１は、図７で示すように笠置ブロック３の側壁４，５にインサートした位置決め金属ナット８に螺設する調整ボルト１６と、この調整ボルト１６に螺合する高ナット１７とからなり、高ナット１７の先端が鋼矢板１の側面に当接するようになっている。
【００２６】
上記のようにして、高さ調整金具１０を設置した矢板列に、位置決め金具１１を設置した笠置ブロック３を、これのステー６を高さ調整金具１０に当接させて被せる。そしてこのときの矢板列に対する笠置ブロック３の高さ位置は、高さ調整金具１０のボルト１３を回して調整する。また、笠置ブロック３の海側と山側の位置決め金具１１の高ナット１７のそれぞれを回して、これの先端を鋼矢板１の側面に当接して鋼矢板１に対する笠置ブロック３の幅方向の位置決めを行う。
【００２７】
このとき笠置ブロック３の内側の幅は、鋼矢板１のハット状部の深さより大きくなっていることにより、上記矢板列が装置ブロック３の幅方向中間に位置させることにより、矢板列の海側側面と笠置ブロック３の底板７の先端との間に隙間１８が形成される。
【００２８】
この隙間１８は、図６に示すように笠置ブロック３の各底板７の端辺７ａ及びこれをつなぐ側面４ａに沿うジグザグ状に平行になっている。そしてこの隙間１８は、図７に示すように底板７の端辺７ａ及びこれをつなぐ側面４ａの傾斜面と鋼矢板１の側面である垂直面によりくさび状になっている。この隙間１８には隙間材１９が挿入されていて、この隙間材１９にて上記隙間１８が閉じられている。
【００２９】
この隙間材１９の断面形状は、図７及び図９に示すようになっていて、これの一側面が上記底板７の端辺の傾斜と同一角度の斜面に、他側面が垂直に、すなわち両側面が上記隙間１８の形状と略同一になっており、かつこれの高さが底板７の厚さより高くしたくさび状になっている。そしてこれの平面形状は、図６に示された隙間１８の平面形状と同一になっている。
【００３０】
上記隙間材１９の長さは、例えば鋼矢板１の３枚分等、現場で取り扱いやすい長さになっている。またこの隙間材１９は、発泡ポリスチレン（発泡スチロール）にて成形される。なおこの隙間材１９の構成材料は、発泡スチロールに限るものではなく、ゴム材であってもよい。発泡スチロールの場合、簡単に折ることができるので、作業現場での長さ合わせを容易に行うことができる。
【００３１】
上記隙間１８の間隔は、矢板護岸工法において一定になりにくく、施工現場においてそれぞれ異なるが、隙間材１９の断面形状がくさび状になっているので、この隙間材１９の挿入によって上記隙間１８の間隔の変化に関わらず、この隙間１８を密に密閉することができる。
【００３２】
上記したように、矢板列に笠置ブロック３を被せ、この笠置ブロック３の底板７部分の内面と鋼矢板１の側面との間の隙間１８を隙間材１９にて閉じた状態で、笠置ブロック３の上方からこれの底板７側の空間内に生コンクリートを打ち込む。このときの生コンクリートは、上記隙間１８より漏れることがなく、底板７及び隙間材１９にて閉じられた空間内に充填される。
【００３３】
なお、このときの生コンクリートは、上記底板７の部分の空間のほかに、矢板列の山側の空間にも充填してもよい。この部分の空間の底側は、地山に閉じられているので生コンクリートの漏れ出しはない。そしてこのように両側の空間に生コンクリートを打ち込むことにより、生コンクリートを笠置ブロック３の上端まで充填することができ、笠置ブロック３の上面を平らにすることができる。
【００３４】
また、この実施の形態での矢板は、ハット形の鋼矢板１を用いた例で示したが、矢板としてはＵ形鋼矢板、直線形鋼矢板を用いてもよい。なお直線形矢板の場合、矢板列は一直線状になるので、笠置ブロック３に設ける底板７もこれと平行の板状になる。そして隙間材１９も一直線状のものが用いられる。また、矢板には鋼にて構成される鋼矢板以外にプラスチックにて構成したものも用いられる。
【００３５】
笠置ブロック３は、矢板列に沿って長手方向に連続して被せられるが、隣接する笠置ブロック３は連結金具用ナット９に締結するボルトにて固定される連結金具２０にて連結される。
【図面の簡単な説明】
【００３６】
【図１】ハット形の鋼矢板を用いた矢板列を示す平面図である。
【図２】図１にて示した矢板列に被せる笠置ブロックを示す平面図である。
【図３】図２の側面図である。
【図４】図３のＡ−Ａ矢視断面図である。
【図５】図３のＢ−Ｂ矢視断面図である。
【図６】矢板列に笠置ブロックを被せた状態を示す一部破断平面図である。
【図７】図６のＣ−Ｃ矢視拡大断面図である。
【図８】高さ調整金具を示す斜視図である。
【図９】隙間材を示す斜視図である。
【符号の説明】
【００３７】
１…ハット形の鋼矢板、１ａ，１ｂ…辺部、２ａ，２ｂ…係合部、３…笠置ブロック、４，５…側壁、４ａ…内面下端部の側面、６…ステー、７…底板、７ａ…端辺、８…位置決め金具用ナット、９…連結金具用ナット、１０…高さ調整金具、１１…位置決め金具、１２…引っかけ部材、１２ａ…ナット部材、１３，１６…調整ボルト、１４，１５ａ，１５ｂ…当接部材、１７…高ナット、１８…隙間、１９…隙間材、２０…連結金具。
【図１】
2008075408.tif 000003
【図２】
2008075408.tif 000004
【図３】
2008075408.tif 000005
【図４】
2008075408.tif 000006
【図５】
2008075408.tif 000007
【図６】
2008075408.tif 000008
【図７】
2008075408.tif 000009
【図８】
2008075408.tif 000010
【図９】
2008075408.tif 000011